(57)【要約】【課題】  ストーマへの着脱が容易であり、しかもストーマからの悪臭を吸着できる機能を有する消臭カバーを提供する。【解決手段】  一端が開いた袋体であって、人体に対向する側の前側シートと、ストーマに関して人体とは反対側に位置する後側シートとを、開口端を除いて外辺を相互に接合してなり、一方、上記前側シートは、和服の前面における左右の前身頃に相当する第１及び第２シートを有し、夫々が上記開口端から離間した他端部の内側側縁に半円形を形成すると共に、この半円形を突き合せて、ストーマの人体との装着部に係合するほぼ円形の開口を形成する態様で、第１及び第２シートの他端部を相互に重合し、これらのシートの自由側端縁を前側及び／又は後側シートの側辺に接合すると共に、これらのシートの材質を特殊な悪臭吸着材料とする。【選択図】  図５
2010284441.tif 000002
【特許請求の範囲】
【請求項１】
人体に装着されたストーマを内側に収納でき、一端が開いた袋体であって、人体に対向する側の前側シートと、この前側シートと同形で、ストーマに関して人体とは反対側に位置する後側シートとを、開口端を除いて外辺を相互に接合してなり、一方、上記前側シートは、和服の前面における左右の前身頃に相当する第１及び第２シートを有し、夫々が上記開口端から離間した他端部の内側側縁に半円形を形成すると共に、この半円形を突き合せて、ストーマの人体との装着部に係合するほぼ円形の開口を形成する態様で、第１及び第２シートの他端部を相互に重合し、これらのシートの自由側端縁を前側及び／又は後側シートの側辺に接合し、他方、上記前側及び後側シートを、木綿繊維、麻繊維又はレーヨン繊維にメタクリル酸をグラフト共重合反応させたものであって、繊維に対するメタクリル酸のグラフト化率が７〜１５重量パーセントである改質セルロース繊維よりなる消臭シートで構成したことを特徴とするストーマの消臭カバー。
【請求項２】
上記後側シートの一端部内面に、他端部側に開いたポケットを形成したことを特徴とする請求項１記載のストーマの消臭カバー。
【発明の詳細な説明】
【技術分野】
【０００１】
この発明は、ストーマ（人工肛門）の消臭カバー（以下単に消臭カバーという）に係り、特に、ストーマへの着脱が容易で衛生的であり、しかもストーマからの悪臭を吸着、遮断できる機能を有する消臭カバーに関する。
【背景技術】
【０００２】
ストーマとは、ガン等の疾患のため大腸及び／又は小腸の一部を切除した患者の、残存する大腸又は小腸の外端部を腹部表面に開口させたものを覆うように装着するものである。
【０００３】
ストーマには種々のものが提案され、かつ実用されているが、その一例を図１及び図２を参照して示すと、全体を符号１で示すストーマは、人体２に接着剤で装着される薄い面板３を有し、この面板３の中央には、図３に示すように、スターターホール４が開口している。
【０００４】
そして、人体の開口とこのスターターホール４とを整合させ、必要ならば前以てハサミ等でこのスターターホールを拡径しておき、面板３の表面に塗着させた接着剤により面板３及びこれに連設させたストーマ袋５を人体に装着する。
【０００５】
なお、図示の実施例におけるストーマは、ストーマ袋５の下端をクリップ６で閉塞する構造で、排泄物がストーマ袋に貯まったらクリップを外して内容物を排出する。
【０００６】
ストーマの別の構造では、ストーマ袋の下端を細くしてここに取り外し可能なキャップを装着している。
【先行技術文献】
【特許文献】
【０００７】
【特許文献１】特願２００８−１３４３５１
【特許文献２】特願２００８−１７７８１８
【発明の概要】
【発明が解決しようとする課題】
【０００８】
上記のように構成されたストーマは、腹部の開口から排泄物がストーマ袋に流入するとき、ガスが排泄物と共に流入し、或いは流入後排泄物が醗酵して悪臭ガスが発生する。
【０００９】
このガスを外部空間に逃すため、図４に示すように、ストーマ袋５の後側、すなわち、ストーマ袋に関して人体とは反対側にガス抜きフィルター６が装着されており、このガス抜きフィルターを通してストーマ袋内のガスを外部空間に逃す構造である。
【００１０】
しかしながら、このガス抜きフィルター６はフィルターとは言いながらガスの消臭機能は無く、単にストーマ袋内の排泄物が外に洩れるのを防ぐだけの通気性フィルターであるから、当然にストーマ使用者の周辺に悪臭が洩れ、これを気にするストーマ使用者の社会生活を営む上での大きな障害となっている。
【００１１】
そこで、この発明は、ストーマへの着脱が容易で衛生的であり、しかもストーマからの悪臭を吸着、遮断できる機能を有するストーマの消臭カバーを提供し、もって上記した不都合を解消することを目的としている。
【課題を解決するための手段】
【００１２】
上記の目的を達成するため、請求項１に記載の発明は、人体に装着されたストーマを内側に収納でき、一端が開いた袋体であって、人体に対向する側の前側シートと、この前側シートと同形で、ストーマに関して人体とは反対側に位置する後側シートとを、開口端を除いて外辺を相互に接合してなり、一方、上記前側シートは、和服の前面における左右の前身頃に相当する第１及び第２シートを有し、夫々が上記開口端から離間した他端部の内側側縁に半円形を形成すると共に、この半円形を突き合せて、ストーマの人体との装着部に係合するほぼ円形の開口を形成する態様で、第１及び第２シートの他端部を相互に重合し、これらのシートの自由側端縁を前側及び／又は後側シートの側辺に接合し、他方、上記前側及び後側シートを、木綿繊維、麻繊維又はレーヨン繊維にメタクリル酸をグラフト共重合反応させたものであって、繊維に対するメタクリル酸のグラフト化率が７〜１５重量パーセントである改質セルロース繊維よりなる消臭シートで構成したことを特徴とする。
【００１３】
また、請求項２に記載の発明は、上記後側シートの一端部内面に、他端部側に開いたポケットを形成したことを特徴とする。
【発明の効果】
【００１４】
上記のように構成された請求項１に記載の発明による消臭カバーは、前側シートの第１及び第２シートを、恰も和服の左右の前身頃を開ける（はだける）ように開けば、消臭カバーの前面が大きく開くので、この開口からストーマを消臭カバー内側に収納することができ（図１２参照）、ストーマを収納した後手を離せば、前面シートの第１及び第２シートは相互に重合して開口を小さくするので、その前面側の開口を面板３とストーマ袋５との間の接続部に係合させた状態で、ストーマを安定的にカバーする。
【００１５】
そして、消臭カバーを前記特許文献１、２に記載された消臭材で構成したから、前記ガス抜きフィルター７から漏洩する悪臭ガスを効率良く消臭し、ストーマからの悪臭を遮断することができる。
【００１６】
また、請求項２に記載の発明によれば、内容物が少ない場合、ストーマ袋の図３及び図４における下端部を折畳んでポケットに収納すれば、ストーマをコンパクトにすることができ、或いは、ストーマを折畳まなくてもポケットに収納できる程度に充分な長さを確保した場合、ストーマの下端部の揺動を防止してストーマの装着を安定に保つことができる。
【図面の簡単な説明】
【００１７】
【図１】ストーマを装着した人体の線図的正面図。
【図２】ストーマを装着した人体の側面図。
【図３】ストーマの一例を示す前面図。
【図４】ストーマの一例を示す後面図。
【図５】消臭カバーの前面図。
【図６】消臭カバーの背面図。
【図７】消臭カバーの後側シートと第１（２）シートとを展開して示す平面図。
【図８】前側シートの第１及び第２シートを展開して示す平面図。
【図９】後側シートの背面図。
【図１０】ポケットの材料を展開して示す平面図。
【図１１】前側シートを構成するシートの裏面図。
【図１２】この発明の他の実施例を示す女性用インナーの外観斜視図。
【図１３】そのインナーの正面図。
【図１４】そのインナーの裏面図。
【図１５】この発明の更に他の実施例を示す男性用インナーの外観斜視図。
【図１６】そのインナーの正面図。
【発明を実施するための形態】
【００１８】
人体に対向する側の前側シートと、この前側シートと同形で、ストーマに関して人体とは反対側に位置する後側シートとを、開口端を除いて外辺を相互に接合し、一方、上記前側シートは、和服の前面における左右の前身頃に相当する第１及び第２シートを、夫々が上記開口端から離間した他端部の内側側縁に半円形を形成すると共に、この半円形を突き合せて、ストーマの人体との装着部に係合するほぼ円形の開口を形成する態様で、第１及び第２シートの他端部を相互に重合し、これらのシートの自由側端縁を前側及び／又は後側シートの側辺に接合し、更に、上記前側及び後側シートを、木綿繊維、麻繊維又はレーヨン繊維にメタクリル酸をグラフト共重合反応させたものであって、繊維に対するメタクリル酸のグラフト化率が７〜１５重量パーセントである改質セルロース繊維よりなる消臭シートで構成したので、第１及び第２シートを和服の左右前身頃をはだけるように開くことができてストーマを内側に包持することが容易であり、また、ストーマから漏洩する悪臭ガスを消臭材によって吸着することができる。
【実施例１】
【００１９】
以下、図面を参照してこの発明の実施例を説明する。
図５及び図６において符号８はこの発明の一実施例による消臭カバーを示し、これらの図の内図５は人体２に対向する側の前面を、図６は後側を夫々示す。
【００２０】
図６に示す後側シート９は、例えば釣鐘形（或いは逆Ｕ字形）の消臭シートである。
【００２１】
上記消臭シートは、前記特許文献１及び２に記載されているように、木綿繊維、麻繊維又はレーヨン繊維にメタクリル酸をグラフト共重合反応させたものであって、繊維に対するメタクリル酸のグラフト化率が７〜１５重量パーセントである改質セルロース繊維よりなる。
【００２２】
一方、図５に示す前側シート１１は、図７に示す２枚の同形の第１及び第２シート１２、１３を、図８に示すように、一方のシートを裏返して対称的に配置し、その上部縫合線１４、１４を突き合せると共に、この上部縫合線１４に沿って縫合する。
【００２３】
ちなみに、この前側シート１１も、後側シート９と同様に、木綿繊維、麻繊維又はレーヨン繊維にメタクリル酸をグラフト共重合反応させたものであって、繊維に対するメタクリル酸のグラフト化率が７〜１５重量パーセントである改質セルロース繊維よりなる消臭シートで構成する。
【００２４】
そして、上記のように一体的に縫合され、一部（図８における下部）を重合させた状態でこれを後側シート９（図７参照）上に載置し、第１シート１２の下部縫合線部１５を、第２シートの下部側端縁及び後側シート９の下部側端縁に沿って縫いつける。
【００２５】
同様に、第２シート１３の下部縫合線部１５を、第１シート１２の下部側端縁及び後側シート９の下部側端縁の間に挟むようにして、これら３者を１本の糸で一体的に縫いつけ、図５及び図６に示すようにシートが互いにはみ出ることのないように結合する。
【００２６】
このようにして、下方が開いた袋状の消臭カバーを構成する。
【００２７】
そのため、第１及び第２シート１２、３の外側縁線を後側シート９のそれの半分と同形にすると共に、第１、第２シートの下端縁の幅（図７で左右方向の寸法）を後側シート９のそれと同じにする。
【００２８】
なお、第１及び第２シート１２、１３並びに後側シート９を一体に結合したとき、前側シート１１の上方に例えばほぼ円形の開口１６を形成し、この開口１６の部分を面板３とストーマ袋との接合部（括れ部）に係合させて、消臭シートのストーマへの装着を安定に保つようにする。
【００２９】
そのため、図８に示すように、第１及び第２シート１２、１３の相互に対向する上部の内側側端縁を半円形に切欠成形すると良い。
【００３０】
なお、図示の実施例における消臭カバーは、図９に示すように、上記後側シート９の一端部（下端部）内面に、他端部側（上側）に開いたポケット１７が形成されている。
【００３１】
図示の実施例におけるポケット１７は、図１０に示す前記消臭シートからなるポケットシート１７と、例えば木綿の布からなる裏地シート１８を相互に重合したものを、後側シート９の下端部に逢着する。
【００３２】
なお、このポケット１７は本願発明の必須の構成ではなく、また、必ずしも裏地シート１８を重ねる必要もない。更にまた、ポケットシート１７は裏地シートと同様の木綿の布でも良い。
【００３３】
加えて、図示の実施例による消臭カバーは、図１１に示すように、第１及び第２シート（図１１に示すものは第１シート）１２、１３の上端部（他端部）裏側に、ハッチングを施して示す補強シート１９が縫着されている。
【００３４】
この補強シート１９は、前記開口１６（図５参照）の回りの前側シートの剛性を増大させるためのものであるが、本願発明の必須の構成ではない。
【００３５】
上記のように構成された本願発明の一実施例による消臭カバーは、和服の襟を寛げる要領で、前側シートの第１及び第２シート１２、１３を厚さ方向（図５の紙面方向）に広げると共に、左右方向にも広げ、このようにして拡開された開口１６に、ストーマ袋５の自由端部（下端部）から先に、次いで全体を消臭カバー内に収納する。
【００３６】
このとき、ストーマ袋５の自由端部を折り曲げて前記ポケット１７（図９参照）内に収納すれば、ストーマ袋５をコンパクトに消臭カバー内に収納することができる。
【００３７】
通常はこの消臭カバー上に下着やキャミソールを着るが、この場合人体２とストーマ袋５との間に前側シート１１が介在するので、例えば３７度Ｃの排泄物がストーマ袋に流入した場合、直接熱さが人体に伝わら図、特に夏等は不快感が減少して快適である。
【００３８】
また、ストーマ袋の前記ガス抜きフィルター７から漏洩する悪臭ガスは、前側及び後側シートを構成する、木綿繊維、麻繊維又はレーヨン繊維にメタクリル酸をグラフト共重合反応させたものであって、繊維に対するメタクリル酸のグラフト化率が７〜１５重量パーセントである改質セルロース繊維よりなる消臭シートに吸着され、悪臭が衣服外に洩れない。
【００３９】
このことは、ストーマ装着者の社会活動を行う上での最大の障害を除去することを意味し、ストーマ装着者に取って何よりも有難い効果である。
【００４０】
ちなみに、前記特許文献１、２に記載されているように、本願発明による消臭カバーを構成する消臭シートは、一定貴簡使用し悪臭物質を吸着した場合でも、洗濯をすれば賦活され、消臭機能を回復する。
【００４１】
また、消臭シートは多数回の洗濯にも耐え、洗濯後はそれ以前と殆ど変らない消臭機能を発揮する。
【実施例２】
【００４２】
図１２はこの発明の他の実施例を示し、この実施例は、女性のキャミソール様の、伸び縮みができる生地による消臭インナー２１を通してストーマをインナーの外側に出し、この外側に出されたストーマ８を、前述のようにして、消臭カバー８内に収納する。
【００４３】
そのため、図１３に示すように、インナー２１に横穴２２を開口させ、この横穴２２を広げるようにしてストーマを外側に出す。
【００４４】
ちなみに、インナー２１の裏側に装着するブラジャーカバー２３（図１４参照）は市販のものを利用することができる。
【００４５】
このようにストーマをインナーの外側に出せば、人工肛門から出る暖かい排泄液に起因するあせも等が緩和されることになる。
【実施例３】
【００４６】
図１５はこの発明の更に他の実施例を示し、この実施例は、男性用のものとして、図２に示す女性のキャミソール様のインナーの代りに腹巻様のインナー２１を用いるもので、図１２に示すものと同様にインナー２１の外側にストーマを出し、このストーマに消臭カバー８を装着する。
【００４７】
そのため、図１６に示すように、ストラップのない腹巻様で、伸縮性がある生地のインナーに女性用のものと同様に横穴２２を開口させ、この横穴からのストーマを外側に出す。
【００４８】
通常、人工肛門の位置は人によって違うが、図１６に示すものはグルリと回すことにより横穴２２の位置を人工肛門に位置に合せることができる。
【符号の説明】
【００４９】
１  ストーマ
２  人体
３  面板
４  スターターホール
５  ストーマ袋
６  クリップ
７  ガス抜きフィルター
８  消臭カバー
９  後側シート
１１  前側シート
１２  第１シート
１３  第２シート
１４  上部縫合線
１５  下部縫合線
１６  開口
１７  ポケット
１８  裏地シート
１９  補強シート
２１  インナー
２２  横穴
２３  ブラジャーカバー
【図１】
2010284441.tif 000003
【図２】
2010284441.tif 000004
【図３】
2010284441.tif 000005
【図４】
2010284441.tif 000006
【図５】
2010284441.tif 000007
【図６】
2010284441.tif 000008
【図７】
2010284441.tif 000009
【図８】
2010284441.tif 000010
【図９】
2010284441.tif 000011
【図１０】
2010284441.tif 000012
【図１１】
2010284441.tif 000013
【図１２】
2010284441.tif 000014
【図１３】
2010284441.tif 000015
【図１４】
2010284441.tif 000016
【図１５】
2010284441.tif 000017
【図１６】
2010284441.tif 000018